(57)【特許請求の範囲】
【請求項１】
地面(G) に前後一対のガイドレール(5) と、該各ガイドレール(5) に沿ってその長手方向に形成された前後一対の溝(22)とを設け、前記各ガイドレール(5) に沿って案内される前後一対の車輪(12)を有し且つ前記地面(G) 側の左右両端の支柱(3)(4)間に走行自在に設けられた門扉本体(6) を備えた門扉において、前記地面(G) 側の前記支柱(3)(4)の近傍から外側に、前記各溝(22)に連通するゴミ溜め凹部(24)を前記両ガイドレール(5) に対応して設け、該ゴミ溜め凹部(24)に、支柱(3)(4)、塀(1) 、建物等の障害物を避けてゴミ除去用の傾斜側壁(29)を設け、前記ゴミ溜め凹部(24)内の水を排水する排水通路(38)を前記地面(G) 側に設けたことを特徴とする門扉用のゴミ溜め装置。
【請求項２】
車輪走行部(17)と係合部(19)とを有する前後一対のガイドレール(5) を、モルタルで固められた地面(G) に敷設し、前記車輪走行部(17)上を走行する前後一対の車輪(12)と、前記係合部(19)に外側から係合してその転倒を防止する前後一対の転倒防止用係合具(33)とを有し且つ前記地面(G) 側の左右両端の支柱(3)(4)間に走行自在に設けられた門扉本体(6) を備えた門扉において、前記各ガイドレール(5) は、上部に水平状に設けられた前記車輪走行部(17)と、下部に水平状に形成された底板部(18)とを備えると共に、前記車輪走行部(17)の外端と前記底板部(18)の内端との間に、上側で外向きの立面部(20)と、該立面部(20)の下側で内側に凹入する前記係合部(19)とを備え、前記ガイドレール(5) の長手方向に沿って前記底板部(18)の上側に設けられた溝(22)は、前記ガイドレール(5) と反対側の前記地面(G) に上広がりに傾斜する傾斜壁(23)を有し、前記ガイドレール(5) の長手方向の途中で前記地面(G) 側に、ゴミ除去用の傾斜側壁(29)を有し且つ前記溝(22)に連通するゴミ溜め凹部(24)を設け、前記ゴミ溜め凹部(24)内の水を排水する排水通路(38)を前記地面(G) 側に設けたことを特徴とする門扉用のゴミ溜め装置。
【発明の詳細な説明】
【０００１】
【発明の属する技術分野】
本発明は、伸縮式門扉、複連引き戸式門扉等の門扉用のゴミ溜め装置に関するものである。
【０００２】
【従来の技術】
伸縮式門扉では、従来、実公昭５５−６９５９号公報、実公平８−４７４号公報に記載されるように、門扉本体の車輪が走行する前後一対のガイドレールの側面に、門扉本体から下方に突出する転倒防止用の係合具が係合する係合部を長手方向に沿って形成している。
【０００３】
このガイドレールの敷設に際して、各ガイドレールの上面が地面側の上面と略面一状になるようにガイドレールを地面側に敷設する場合、係合具が通過する溝を地面側に形成している。この溝にはガイドレールを屈曲させて一体に形成したものと、ガイドレールの側方にモルタル等で形成したものとがあり、両端が略垂直状に起立している。
【０００４】
【発明が解決しようとする課題】
この種の伸縮式門扉では、溝は地面側の上面よりも低くゴミが溜まり易いが、門扉本体の伸縮時に係合具が溝内を通過するため、常に溝内を掃除してゴミを除去しておく必要がある。しかし、従来の溝は、両端が略垂直状に起立しているので、溝内のゴミをほうき等で掃き出すことはできず、また市販のスコップ等を使用して掬い取るとしても、溝の溝幅、スコップの先端の形状等から、市販のスコップ等を直ちに使用することは困難である。
【０００５】
そこで、溝を必要とする伸縮式門扉では、メーカーから出荷する際に、その溝の溝幅に適した専用の掬い取り具をセットしておく場合もある。しかし、この場合には専用の掬い取り具が必要であり、また仮に専用の掬い取り具を使用しても、溝の両端側でのゴミの除去が困難である。
【０００６】
本発明は、このような従来の問題点に鑑み、ガイドレールを敷設する施工時に凹部を設ける程度で簡単に施工でき、しかも溝内のゴミを容易に排出し除去できると共に、溝内等の水を容易に排水できる門扉用のゴミ溜め装置を提供することを目的とする。
【０００７】
【課題を解決するための手段】
本発明は、地面G に前後一対のガイドレール5 と、該各ガイドレール5 に沿ってその長手方向に形成された前後一対の溝22とを設け、前記各ガイドレール5 に沿って案内される前後一対の車輪12  を有し且つ前記地面G 側の左右両端の支柱3,4 間に走行自在に設けられた門扉本体6 を備えた門扉において、前記地面G 側の前記支柱3,4 の近傍から外側に、前記各溝22に連通するゴミ溜め凹部24を前記両ガイドレール5 に対応して設け、該ゴミ溜め凹部24に、支柱3,4 、塀1 、建物等の障害物を避けてゴミ除去用の傾斜側壁29を設け、前記ゴミ溜め凹部24内の水を排水する排水通路38を前記地面G 側に設けたものである。
また別の発明は、車輪走行部17と係合部19とを有する前後一対のガイドレール5 をモルタルで固められた地面G に敷設し、前記車輪走行部17上を走行する前後一対の車輪12と、前記係合部19に外側から係合してその転倒を防止する前後一対の転倒防止用係合具33とを有し且つ前記地面G 側の左右両端の支柱3,4 間に走行自在に設けられた門扉本体6 を備えた門扉において、前記各ガイドレール5 は、上部に水平状に設けられた前記車輪走行部17と、下部に水平状に形成された底板部18とを備えると共に、前記車輪走行部17の外端と前記底板部18の内端との間に、上側で外向きの立面部20と、該立面部20の下側で内側に凹入する前記係合部19とを備え、前記ガイドレール5 の長手方向に沿って前記底板部18の上側に設けられた溝22は、前記ガイドレール5 と反対側の前記地面G に上広がりに傾斜する傾斜壁23を有し、前記ガイドレール5 の長手方向の途中で前記地面G 側に、ゴミ除去用の傾斜側壁29を有し且つ前記溝22に連通するゴミ溜め凹部24を設け、前記ゴミ溜め凹部24内の水を排水する排水通路38を前記地面G 側に設けたものである。
【０００８】
【発明の実施の形態】
以下、本発明の各実施形態を図面に基づいて詳述する。
【０００９】
図１〜図６は本発明の第１の実施形態を例示し、図１〜図３において、１  は塀、２  は出入口である。３  は吊り元側支柱、４  は戸当たり側支柱であり、これらの各支柱３，４  は出入口２  の左右両端で地面Ｇ  側に立設されている。５  は前後一対のガイドレールで、出入口２  の内側で地面Ｇ  に左右方向に敷設されている。６  は伸縮式の門扉本体で、ガイドレール５  に沿って走行しながら伸縮して出入口２  を開閉するように、吊り元側支柱３  と戸当たり側支柱４  との間に伸縮走行自在に設けられている。
【００１０】
門扉本体6 は、伸縮方向の両端に配置された上下方向の吊り元側端枠7 及び戸当たり側端枠8 と、この両端枠7,8 間に伸縮方向に等間隔をおいて配置された複数本の縦桟9 と、吊り元側端枠7 、戸当たり側端枠8 及び縦桟9 を伸縮方向に連結するパンタグラフ機構10とを備え、その複数本の縦桟9 の内、所定の間隔をおいた縦桟9 の下端部に前後一対の車輪12が設けられている。なお、各縦桟9 は逆Ｕ字状であって、下端部側は幅決め材により前後に連結されている。
【００１１】
吊り元側端枠７  は、ヒンジ１３を介して吊り元側支柱３  に縦軸心廻りに回動自在に連結されている。戸当たり側端枠８  には開閉操作用の把手１４等が設けられている。パンタグラフ機構１０は、複数本の右上がり傾斜リンク１５と右下がり傾斜リンク１６を交差状に枢結してなり、各吊り元側端枠７  と戸当たり側端枠８  とに跨がって各縦桟９  の内側に配置されている。
【００１２】
各ガイドレール５  は、図４に示すように、車輪走行部１７、底板部１８、係合部１９及び立面部２０を長手方向の略全長に一体に備え、前後の各ガイドレール５  は連結材２１により連結されている。車輪走行部１７は上部に、底板部１８は下部に夫々水平状に設けられ、その車輪走行部１７の外端側と底板部１８の内端側との間に、立面部２０が上側で外向きとなり、係合部１９がその下側で内側に凹入するように夫々設けられている。
【００１３】
各ガイドレール５  は、モルタル等により固めた地面Ｇ  側に、その車輪走行部１７が地面Ｇ  側と略面一状となるように埋設されている。各ガイドレール５  の外側には、底板部１８の上側に溝２２が形成されている。溝２２は地面Ｇ  側の上面からガイドレール５  の高さ分だけ凹入しており、そのガイドレール５  と反対側が上広がりに傾斜する傾斜壁２３となっている。
【００１４】
各ガイドレール５  の長手方向の両端の地面Ｇ  側には、図５及び図６にも示すように、吊り元側支柱３  及び戸当たり側支柱４  の近傍から外側に排水兼用のゴミ溜め凹部２４と、このゴミ溜め凹部２４内の水を排水する排水通路３８とが設けられ、そのゴミ溜め凹部２４は連通溝２５を介して各ガイドレール５  側の溝２２に連通されている。ゴミ溜め凹部２４は、各ガイドレール５  に対応するように、前後一対のガイドレール５  の外側の間隔よりも前後方向に若干長くなっている。
【００１５】
そして、ゴミ溜め凹部２４は、各支柱３，４  側の側壁２６、前後両側の前側壁２７及び後側壁２８が略垂直状に形成され、各支柱３，４  と反対側に、スコップ等でゴミを掬い出し易くなるように所定角度で傾斜する傾斜側壁２９が設けられている。なお、ゴミ溜め凹部２４は、底壁３０が溝２２の底板部１８等よりも低くなるような深さになっている。
【００１６】
各連通溝２５は各ガイドレール５  に対応して各支柱３，４  の前後両側に配置されている。各連通溝２５は溝２２と略同じ深さであり、溝２２の傾斜壁２３に連続する傾斜面が形成されている。排水通路３８は地面Ｇ  側に埋設された排水パイプにより構成され、ゴミ溜め凹部２４内の底部側に連通し、このゴミ溜め凹部２４内の水を図外の排水溝等に排水するようになっている。なお、排水通路３８はゴミ溜め凹部２４に連通しておれば十分であり、例えば図５に点線で示すように後側壁２８側に設けても良いし、或いは２点鎖線で示すように傾斜側壁２９側に設けても良く、その位置はゴミ溜め凹部２４と排水溝との関係を考慮して決定すれば良い。
【００１７】
車輪１２は、台車枠１１の前後両端部に車輪ブラケット３１、車軸３２を介して回転自在に軸支され、ガイドレール５  の車輪走行部１７上を長手方向に走行可能である。台車枠１１は縦桟９  の下端側に前後方向に固定されている。各車輪ブラケット３１の外側には、門扉本体６  の伸縮に伴って溝２２内を通過するように、転倒防止用の係合具３３と横ずれ防止用の案内ローラ３４とが縦軸３５を介して回転自在に支持されている。
【００１８】
係合具３３は円板等により構成され、門扉本体６  に転倒方向の外力が作用したときに、ガイドレール５  の係合部１９に係合して門扉本体６  の転倒を防止するように係合部１９に対して外側から係合可能である。案内ローラ３４は、係合具３３の上側で縦軸３５に遊嵌された筒体により構成され、ガイドレール５  の立面部２０に外側から当接して門扉本体６  の横ずれを防止するようになっている。
【００１９】
この種の伸縮門扉では、溝２２内のゴミを除去する場合には、ほうき等で溝２２内のゴミを両端の連通溝２５を経てゴミ溜め凹部２４側へと順次掃き出して行き、一旦ゴミ溜め凹部２４内に溜める。そして、このゴミ溜め凹部２４内に溜まったゴミをスコップ等で排出し除去すれば良い。従って、溝２２内のゴミを容易に排出し除去できる。
【００２０】
またゴミ溜め凹部２４の周囲には、支柱３，４  と反対側に傾斜側壁２９があるので、ゴミ溜め凹部２４内のゴミをスコップ等で掬い取る場合には、この傾斜側壁２９からその傾斜に沿ってスコップ等を入れて行けば、ゴミ溜め凹部２４内のゴミを容易に掬い取ることが可能である。
【００２１】
ゴミ溜め凹部２４内に溜まったゴミは、溝２２内のゴミを排出する都度、除去しても良いし、各溝２２内のゴミを一旦ゴミ溜め凹部２４内に集めておき、このゴミ溜め凹部２４内にゴミがある程度溜まった時点で除去するようにしても良い。
【００２２】
ゴミ溜め凹部２４の容積を大きくしておけば、その底壁３０が溝２２及び連通溝２５の底よりも低いため、降雨時に溝２２内に溜まった水を連通溝２５を経てゴミ溜め凹部２４側へと排水できる。このとき溝２２内の軽い浮遊性のあるゴミは、水と一緒にゴミ溜め凹部２４側へと流れるので、同時に溝２２内のゴミを除去できる。門扉本体６  等を水洗する場合にも同様である。またゴミ溜め凹部２４に溜まった水は、排水通路３８を経て外部の排水溝へと排水できる。このためゴミ溜め凹部２４内に多量の水が溜まることはない。
【００２３】
図７及び図８は本発明の第２の実施形態を例示し、ゴミ溜め凹部２４を平面視矩形状で且つ断面Ｖ字状に形成し、その底部に排水通路３８を設けたものである。このゴミ溜め凹部２４は、各支柱３，４  側の側壁２６を勾配が大きな傾斜面又は垂直面とし、各支柱３，４  と反対側の傾斜側壁２９を勾配の小さい取り出し用傾斜面としている。なお、前後の側壁２７，２８  は垂直、又は垂直に近い角度である。またゴミ溜め凹部２４の深さは、最も深い部分が溝２２及び連通溝２５の深さと同じか、又はそれよりも深くなっている。
【００２４】
この実施形態の場合にも前述と同様に溝２２内のゴミ、水を容易に除去でき排水できる。特にゴミ溜め凹部２４が断面Ｖ字状であるため、その勾配の緩やかな傾斜側壁２９側からスコップ等を入れてゴミ溜め凹部２４内のゴミを掬い取ることができる。また傾斜側壁２９の勾配によっては、この傾斜側壁２９側からほうき等でゴミ溜め凹部２４内のゴミを掃き出すこともできる。なお、ゴミ溜め凹部２４には、図７に２点鎖線で示すように平坦な底壁３０を設けても良い。
【００２５】
図９及び図１０は本発明の第３の実施形態を例示し、ゴミ溜め凹部２４の傾斜側壁２９を塀１  と反対の敷地内側に向けて設けたものである。吊り元側支柱３  及び／又は戸当たり側支柱４  の比較的近傍に建物等の障害物３６がある場合には、その障害物３６側からゴミ溜め凹部２４内のゴミを掬い取ることが困難である。
【００２６】
従って、この場合には、図９及び図１０に示すように支柱３，４  、塀１  及び障害物３６を避けて、ゴミ溜め凹部２４に対して塀１  と反対の敷地内側に向けて設ければ、ゴミ溜め凹部２４内のゴミを容易に除去できる。なお、排水通路３８は塀１  の下側に埋設しても良いし、傾斜側壁２９側に設けても良い。
【００２７】
図１１及び図１２は本発明の第４の実施形態を例示し、ガイドレール５  の長手方向の途中において、溝２２に連通するゴミ溜め凹部２４を地面Ｇ  側に設け、このゴミ溜め凹部２４の開口側に簀の子等の覆い部材３７を着脱自在に設けたものである。なお、傾斜側壁２９は、ガイドレール５  と反対側に形成されている。
【００２８】
このようにガイドレール５  の長手方向の途中にゴミ溜め凹部２４を設けることも可能である。これは、伸縮式門扉を敷地の内側に十分入った位置に設ける場合であって、ガイドレール５  の両端側にゴミ溜め凹部２４用のスペースを確保できないような場合に便利である。また出入口２  の途中にゴミ溜め凹部２４があるが、その開口側に覆い部材３７を着脱自在に設けることによって、通行上等での問題も容易に解消できる。
【００２９】
排水通路３８は、各ゴミ溜め凹部２４毎に独立させて設けても良いし、また各ゴミ溜め凹部２４に連通するように設けても良い。後者の場合には、２点鎖線で示すようにガイドレール５  の係合部１９の下側に孔を明けて排水通路３８を設けても良いし、ガイドレール５  の下側を経由して連通させても良い。
【００３０】
以上、本発明の各実施形態について詳述したが、本発明はこの各実施形態に限定されるものではない。例えば、溝２２は、前後一対のガイドレール５  の内側に設けても良いし、各ガイドレール５  の幅内に設けても良い。
【００３１】
また溝２２は、転倒防止用の係合具３３、横ずれ防止用の案内ローラ３４等の通過用以外のものでも良い。例えば、ガイドレール５  の立面部２０に案内される横ずれ防止用のフランジを車輪１２に一体に設けた場合等の溝２２でも同様に実施できる。
【００３２】
ゴミ溜め凹部２４は溝２２に連通状に設ければ良く、第１の実施形態のように溝２２とゴミ溜め凹部２４との間の連通溝２５を介しても連通させても良いし、ゴミ溜め凹部２４の溝２２に直接連通させても良い。
【００３３】
またガイドレール５  の長さが吊り元側支柱３  と戸当たり側支柱４  との間隔よりも短い場合には、各ゴミ溜め凹部２４の中に各支柱を配置しても良い。ゴミ溜め凹部２４、連通溝２５は、モルタル等で構成しても良いが、金属製、合成樹脂製のものを埋設しても良い。その他、本発明は、伸縮式門扉に限定されるものではなく、複連引き戸式門扉、その他の門扉においても同様に実施できることは言うまでもない。
【００３４】
門扉は１本のガイドレール５  を使用するものでも良いし、３本以上のガイドレール５  を使用するものでも良い。また複数本のガイドレール５  を使用する場合、各ガイドレール５  側の溝２２に夫々対応するようにゴミ溜め凹部２４を独立させて設けても良いし、その各溝２２に共通するように１個のゴミ溜め凹部２４を設けても良い。
【００３５】
排水通路３８は、排水パイプを埋設した暗渠型の他、溝状の明渠型でも良い。また排水通路３８のゴミ溜め凹部２４側の開口端部には、落ち葉等のゴミが排水通路３８内に入らないように簀の子、その他のフィルター等を設けることが望ましい。更にゴミ溜め凹部２４には、図１２に示す場合と同様に、その開口側に簀の子状又は板状の覆い部材３７を着脱自在に設け、その覆い部材３７によってゴミ溜め凹部２４を覆うようにすれば、安全性を確保できる。
【００３６】
【発明の効果】
本発明によれば、溝22内のゴミをゴミ溜め凹部24を経て容易に排出し除去できると共に、溝22及びゴミ溜め凹部24内の水を容易に排水できる。またガイドレール5 を敷設する際に、地面G 側にゴミ溜め凹部24と排水通路38とを設ければ良く、簡単に施工できる利点がある。
【図面の簡単な説明】
【図１】本発明の第１の実施形態を示す伸縮式門扉の正面図である。
【図２】本発明の第１の実施形態を示す伸縮式門扉の平面図である。
【図３】本発明の第１の実施形態を示す伸縮式門扉の側面図である。
【図４】本発明の第１の実施形態を示す要部の拡大断面図である。
【図５】本発明の第１の実施形態を示す要部の拡大平面図である。
【図６】本発明の第１の実施形態を示す要部の拡大断面図である。
【図７】本発明の第２の実施形態を示す要部の断面図である。
【図８】本発明の第２の実施形態を示す要部の平面図である。
【図９】本発明の第３の実施形態を示す要部の平面図である。
【図１０】本発明の第３の実施形態を示す要部の断面図である。
【図１１】本発明の第４の実施形態を示す平面図である。
【図１２】本発明の第４の実施形態を示す要部の断面図である。
【符号の説明】
５      ガイドレール
６      門扉本体
１２    車輪
２２    溝
２４    ゴミ溜め凹部
３８    排水通路
Ｇ      地面
【図１】
0003590959.tif 000002
【図２】
0003590959.tif 000003
【図３】
0003590959.tif 000004
【図４】
0003590959.tif 000005
【図５】
0003590959.tif 000006
【図６】
0003590959.tif 000007
【図７】
0003590959.tif 000008
【図８】
0003590959.tif 000009
【図９】
0003590959.tif 000010
【図１０】
0003590959.tif 000011
【図１１】
0003590959.tif 000012
【図１２】
0003590959.tif 000013